(57)【要約】  画像形成装置（１０）は、電子機器の動作に係る複数の設定項目を表示する表示部（２１）と、ユーザーにより操作される操作部（２２）及びタッチパネル（２３）と、操作部（２２）又はタッチパネル（２３）の操作に基づき表示部（２１）の画面における設定項目の値を設定し、操作部（２２）及びタッチパネル（２３）の操作により総リセットモードが設定された場合は、各設定項目の値を初期化し、操作部（２２）及びタッチパネル（２３）の操作により個別リセットモードが設定された場合は、タッチパネル（２３）の操作により表示部（２１）の画面における設定項目のリセットが指示されたときに、当該設定項目の値を初期化する制御部（３１）と、を備える。
2020100404.tif 000002
【特許請求の範囲】
【請求項１】
電子機器において、
前記電子機器の動作に係る複数の設定項目の値を設定する制御部と、
前記複数の設定項目を表示する表示部と、
ユーザーにより操作される操作部とを備え、
前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化する制御部と、を備える電子機器。
【請求項２】
記憶部を更に備え、
前記制御部は、前記個別リセットモードが設定された状態でジョブが実行された場合は、前記ジョブの実行時の前記各設定項目の値を履歴情報として前記記憶部に記憶させ、以降のジョブの実行に際し、前記操作部の操作により前記設定項目のリセットが指示されたときに、当該設定項目の値を前記記憶部に記憶されている履歴情報の該設定項目の値のいずれかに設定する請求項１に記載の電子機器。
【請求項３】
前記制御部は、前記操作部の操作により画面リセットモードが設定された場合は、前記表示部の画面に表示されている各設定項目の値を初期化する請求項１に記載の電子機器。
【請求項４】
前記制御部は、前記操作部の操作により除外個別リセットモードが設定された場合は、前記操作部の操作により指示された前記表示部の画面における設定項目を除いて、前記画面に表示されている他の各設定項目の値を初期化する請求項１に記載の電子機器。
【請求項５】
前記制御部は、前記操作部の操作により除外画面リセットモードが設定された場合は、前記表示部の画面に表示されている各設定項目の値を除いて、前記表示部の他の画面に表示される別の各設定項目の値を初期化する請求項１に記載の電子機器。
【請求項６】
前記制御部は、前記操作部の操作により前記個別リセットモードが設定された場合は、前記操作部の操作により前記表示部の画面における設定項目のリセットの指示とは異なる他の指示が該設定項目に対してなされると、前記他の指示に基づく処理を実行する請求項１に記載の電子機器。
【請求項７】
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉ）前記リセットキーの操作継続時間が前記第１時間の経過後から予め設定された第２時間に達するまでの第２期間において、前記個別リセットモードの設定タイミングである旨を示すメッセージを前記表示部に表示させ、前記第２期間において前記操作部の操作がされた場合に前記個別リセットモードを設定する、請求項１に記載の電子機器。
【請求項８】
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉ）前記リセットキーの操作継続時間が前記第１時間の経過後から予め設定された第２時間に達するまでの第２期間において、前記個別リセットモード又は前記画面リセットモードの設定タイミングである旨を示すメッセージを前記表示部に表示させ、前記第２期間において前記操作部の操作により前記表示部の画面における設定項目のリセットの指示があった場合に前記個別リセットモードを設定し、前記表示部の画面における空きスペースに対する操作指示があった場合に前記画面リセットモードを設定する、請求項３に記載の電子機器。
【請求項９】
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉｉ）前記リセットキーの操作継続時間が前記第１時間の経過後から予め設定された第２時間が経過した後の第３期間において、前記除外個別リセットモードの設定タイミングである旨を示すメッセージを前記表示部に表示させ、前記第３期間において前記操作部の操作により前記表示部の画面における設定項目のリセットの指示があった場合に前記除外個別リセットモードを設定する、請求項４に記載の電子機器。
【請求項１０】
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉｉ）前記リセットキーの操作継続時間が前記第１時間の経過後から予め設定された第２時間が経過した後の第３期間において、前記除外画面リセットモードの設定タイミングである旨を示すメッセージを前記表示部に表示させ、前記第３期間において前記表示部の画面における空きスペースに対する操作指示があった場合に前記除外画面リセットモードを設定する、請求項５に記載の電子機器。
【請求項１１】
請求項１に記載の電子機器と、
記録媒体に画像を形成する画像形成部と、を備えた画像形成装置。
【発明の詳細な説明】
【技術分野】
【０００１】
本発明は、ユーザーが操作部を操作して、電子機器の動作に係る複数の設定項目の値を初期化するための技術に関する。
【背景技術】
【０００２】
電子機器の一例である画像形成装置では、例えばコピーに関して、画像の印刷濃度、画像の拡大縮小率、記録紙のサイズなどの複数の設定項目の値が初期化されて設定されており、コピーの実行に際しては、ユーザーがそれらの設定項目の値を変更することができる。しかしながら、ユーザーが多くの設定項目の値を変更した後、これらの設定項目の値の初期化が一括して行われると、全ての設定項目の値を再設定する必要があり、この再設定の作業が煩雑となる。【０００３】
このため、特許文献１では、オペレータにより印刷操作画面上のリセットボタンが１回押圧された場合は、印刷操作画面上で設定されているプリンターの指定はそのままで、出力形式の設定のみをリセット（初期化）し、またリセットボタンが２回続けて押圧された場合は、プリンターの指定及び出力形式の設定の全てをリセットしている。すなわち、リセットボタンに対して１回押圧及び２回続けての押圧のいずれがなされたかに応じてリセットの内容を変更している。これにより、設定作業の操作性を向上させる。
【先行技術文献】
【特許文献】
【０００４】
【特許文献１】特開２００２−１６５０５７号公報
【発明の概要】
【０００５】
しかしながら、特許文献１には、装置の動作に係る各設定項目を個別にリセットする技術が開示されていない。特許文献１に記載の技術は、リセットボタンに対する押圧回数に応じてプリンターの指定及び出力形式の設定についてのリセット内容を変更するだけであり、この技術を用いて、装置の動作に係る各設定項目を個別にリセットすることはできない。
【０００６】
本発明は、上記の事情に鑑みなされたものであり、電子機器の動作に係る複数の設定項目の値を適宜選択して初期化できるようにすることを目的とする。
【課題を解決するための手段】
【０００７】
本発明の一局面にかかる電子機器は、電子機器の動作に係る複数の設定項目の値を設定する制御部と、前記複数の設定項目を表示する表示部と、ユーザーにより操作される操作部とを備え、前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化する制御部と、を備えるものである。【０００８】
本発明の一局面にかかる画像形成装置は、上記電子機器と、記録媒体に画像を形成する画像形成部と、を備えるものである。
【発明の効果】
【０００９】
本発明によれば、電子機器の動作に係る複数の設定項目の値を適宜選択して初期化することができる。
【図面の簡単な説明】
【００１０】
【図１】本発明の一実施形態にかかる画像形成装置を示す断面図である。
【図２】本実施形態の画像形成装置の主要内部構成を示すブロック図である。
【図３】初期値データテーブル、設定データテーブル、及び履歴データテーブルを概念的に示す図である。
【図４Ａ】画像形成装置の動作に係る設定項目の値を初期化するための処理手順を示すフローチャートである。
【図４Ｂ】図４Ａに引き続く処理を示すフローチャートである。
【図５】表示部に表示された初期画面を示す図である。
【図６】表示部に表示されたコピー機能の設定画面を示す図である。
【図７Ａ】リセットキーの操作期間に応じて表示部に表示されるメッセージを示す図である。
【図７Ｂ】リセットキーの操作期間に応じて表示部に表示されるメッセージを示す図である。
【図７Ｃ】リセットキーの操作期間に応じて表示部に表示されるメッセージを示す図である。
【図８】総リセットモードでの設定データテーブルの初期化を説明するために用いた図である。
【図９】個別リセットモードでの設定データテーブルの初期化を説明するために用いた図である。
【図１０Ａ】個別リセットモードでの履歴データテーブルを用いて設定データテーブルの設定項目の値を元に戻すための手順を説明するために用いた図である。
【図１０Ｂ】個別リセットモードでの履歴データテーブルを用いて設定データテーブルの設定項目の値を元に戻すための手順を説明するために用いた図である。
【図１０Ｃ】個別リセットモードでの履歴データテーブルを用いて設定データテーブルの設定項目の値を元に戻すための手順を説明するために用いた図である。
【図１０Ｄ】個別リセットモードでの履歴データテーブルを用いて設定データテーブルの設定項目の値を元に戻すための手順を説明するために用いた図である。
【発明を実施するための形態】
【００１１】
以下、本発明の一実施形態にかかる電子機器及び画像形成装置について図面を参照して説明する。
【００１２】
図１は、本発明の一実施形態にかかる画像形成装置を示す断面図である。この図１に示す画像形成装置１０は、本発明に係る電子機器の一例であり、例えばコピー機能、プリンター機能、ファクシミリ機能のような複数の機能を兼ね備えたＭＦＰ（複合機）である。画像形成装置１０は、画像読取部１１と、画像形成部１２とを備えている。
【００１３】
画像読取部１１は、原稿の画像を光学的に読み取る撮像素子を有しており、この撮像素子のアナログ出力がデジタル信号に変換されて、原稿の画像を示す画像データが生成される。
【００１４】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１５】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１６】
次に、画像形成装置１０の制御に係る構成について説明する。図２は、画像形成装置１０の主要内部構成を示す機能ブロック図である。この図２に示すように画像形成装置１０は、画像読取部１１と、画像形成部１２と、表示部２１と、操作部２２と、タッチパネル２３と、ファクシミリ通信部２４と、記憶部２８と、制御ユニット２９とを備えている。これらの構成要素は、互いにバスを通じてデータ又は信号の送受信が可能とされている。
【００１７】
表示部２１は、液晶ディスプレイ（ＬＣＤ：Liquid Crystal Display）や有機ＥＬ（ＯＬＥＤ：Organic Light-Emitting Diode）ディスプレイなどから構成される。
【００１８】
操作部２２は、テンキー、決定キー、スタートキー、リセットキーなどの物理キーを備えている。
【００１９】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１に出力する。
【００２０】
ファクシミリ通信部（ＦＡＸ通信部）２４は、画像データを、ネットワークを通じて他の画像形成装置やファクシミリ装置（図示せず）などとの間で送受信する。
【００２１】
記憶部２８は、ＳＳＤ（Solid State Drive）、ＨＤＤ（Hard Disk Drive）などの大容量の記憶部であって、各種のアプリケーションプログラムや種々のデータを記憶している。
【００２２】
制御ユニット２９は、プロセッサー、ＲＡＭ（Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２３】
制御ユニット２９は、画像形成装置１０を統括的に制御する。制御ユニット２９は、画像読取部１１、画像形成部１２、表示部２１、操作部２２、タッチパネル２３、ファクシミリ通信部２４、及び記憶部２８などと接続されており、これらの構成要素の動作制御や、該各構成要素との間での信号またはデータの送受信を行う。
【００２４】
制御部３１は、画像形成装置１０による画像形成に必要な各種の処理などを実行する処理部としての役割を果たす。また、制御部３１は、タッチパネル２３から出力される検知信号あるいは操作部２２の物理キーの操作に基づき、ユーザーにより入力された操作指示を受け付ける。更に、制御部３１は、表示部２１の表示動作を制御する機能、ファクシミリ通信部２４の通信動作を制御する機能を有する。
【００２５】
このような構成の画像形成装置１０において、ユーザーは、操作部２２及びタッチパネル２３を操作することによりファクシミリ通信機能、コピー機能、プリンター機能、及びスキャナー機能のいずれかを選択して、ジョブを実行させることができる。例えば、ユーザーが、コピー機能を選択して、ジョブの実行を指示すると、制御部３１は、画像読取部１１により原稿の画像を読取らせ、画像形成部１２により原稿の画像を記録紙に印刷させる。同様に、ファクシミリ通信機能、プリンター機能、及びスキャナー機能についても、ユーザーが、機能を選択して、ジョブの実行を指示すると、制御部３１は、そのジョブを実行する。
【００２６】
また、画像形成装置１０においては、画像形成装置の動作に係る各設定項目を記憶部２８内の初期値データテーブルＳＤに記憶させている。例えば、制御部３１は、コピーに関し、印刷濃度、拡大縮小率、記録紙のサイズなどの複数の設定項目の値（初期値）が記憶部２８内の初期値データテーブルＳＤに記憶させている。制御部３１は、画像形成装置１０の起動時に、初期値データテーブルＳＤにおける各設定項目の値を設定値データテーブルＴＤにロードして記憶させる。この設定値データテーブルＴＤは、例えば制御ユニット２９のＲＡＭに生成されて保存される。
【００２７】
制御部３１は、この設定値データテーブルＴＤに記憶されている各設定項目の値を、ユーザーによる指示等に応じて、コピーの実行の前に変更する。これらの設定項目を含む設定画面が表示部２１の画面に表示された状態で、ユーザーは、設定画面に対するタッチ操作により設定項目の値の変更を指示する。制御部３１は、タッチパネル２３を通じて、その指示を受け付け、設定値データテーブルＴＤにおける該設定項目の値を変更する。そして、ユーザーが操作部２２のスタートキーを操作すると、制御部３１は、設定値データテーブルＴＤにおける各設定項目の値に基づき、画像形成部１２により原稿の画像を記録紙に印刷させる。
【００２８】
図３は、初期値データテーブルＳＤ及び設定データテーブルＴＤなどを概念的に示している。この図３に示すように初期値データテーブルＳＤには、制御部３１による設定により、各設定項目の値（初期値）が記憶されている。同様に、設定データテーブルＴＤにも、各設定項目の値が記憶されており、これらの設定項目の値の変更が可能である。尚、図３には、履歴データテーブルＨＤも示されているが、この履歴データテーブルＨＤについては後で説明する。
【００２９】
ここで、ユーザーが設定値データテーブルＴＤにおける多くの設定項目の値を変更した後、設定値データテーブルＴＤにおける全ての設定項目の値の初期化が一括して行われると、全ての設定項目の値を再設定する必要があり、この再設定の作業が煩雑となる。
【００３０】
そこで、本実施形態では、ユーザーが、操作部２２及びタッチパネル２３を操作することにより総リセットモード、個別リセットモード、画面リセットモード、除外個別リセットモード、及び除外画面リセットモードのいずれかを選択的に設定すると、制御部３１が、その選択設定されたモードでのリセットを行う。
【００３１】
例えば、総リセットモードが設定されると、制御部３１は、設定データテーブルＴＤにおける全ての設定項目の値を初期値データテーブルＳＤにおけるそれぞれの設定項目の値に変更して、設定データテーブルＴＤにおける全ての設定項目の値を初期化する。
【００３２】
また、個別リセットモードが設定されかつユーザーが表示部２１の設定画面に表示されている任意の設定項目に対して、予め定められたタッチ操作（例えばスワイプ操作）を行うと、制御部３１は、タッチパネル２３を通じて、その任意の設定項目に対するスワイプ操作を検出し、設定データテーブルＴＤにおける該任意の設定項目の値を、初期値データテーブルＳＤにおけるその設定項目の値に変更して、該任意の設定項目の値を初期化する。
【００３３】
また、個別リセットモードが設定されかつユーザーが操作部２２のスタートキーを操作すると、制御部３１は、ジョブを実行して、当該ジョブ実行時における設定データテーブルＴＤにおける各設定項目の値を例えば履歴情報として履歴データテーブルＨＤに保存する。以降のジョブの実行に際し、ユーザーが表示部２１の設定画面に表示されている任意の設定項目に対して、予め定められたタッチ操作としてのスワイプ操作（以下、単にスワイプ操作という）を行うと、制御部３１は、タッチパネル２３を通じて、その任意の設定項目に対するスワイプ操作を検出し、設定データテーブルＴＤにおける該任意の設定項目の値を、履歴データテーブルＨＤにおけるその設定項目の値に戻す。
【００３４】
また、画面リセットモードが設定されると、制御部３１は、表示部２１の設定画面に表示されている各設定項目（表示部２１の設定画面に表示されている全ての設定項目）を選択し、設定データテーブルＴＤにおける該選択した各設定項目の値を初期値データテーブルＳＤのそれらの設定項目の値に変更して、該選択した各設定項目の値を初期化する。
【００３５】
また、除外個別リセットモードが設定されかつユーザーが表示部２１の設定画面に表示されている任意の設定項目に対してスワイプ操作を行うと、制御部３１は、タッチパネル２３を通じて、その任意の設定項目に対するスワイプ操作を検出する。そして、制御部３１は、表示部２１の設定画面に表示されている該任意の設定項目を除く他の各設定項目を選択し、設定データテーブルＴＤにおける該他の各設定項目の値を、初期値データテーブルＳＤにおけるそれらの設定項目の値に変更して、該他の各設定項目の値を初期化する。
【００３６】
また、除外画面リセットモードが設定されると、制御部３１は、表示部２１の設定画面に表示されている各設定項目を除いて、表示部２１の他の設定画面に表示される別の各設定項目の値を選択し、設定データテーブルＴＤにおける該別の各設定項目の値を初期値データテーブルＳＤにおけるそれらの設定項目の値に変更して、該別の各設定項目の値を初期化する。ただし、除外画面リセットモードは、同一機能に係る複数の設定画面が表示部２１に切替え表示される場合に適用され、該各画面のうちの表示部２１に表示されている画面を除く他の設定画面を選択して、この他の設定画面における別の各設定項目の値を初期化する。
【００３７】
ユーザーは、それらのモードのいずれかを設定して、その設定したモードでリセットを行わせることにより設定値データテーブルＴＤにおける各設定項目の値を選択的に初期化することができる。
【００３８】
次に、それらのモード別に、設定項目の値を初期化するための処理手順を、図４Ａ、図４Ｂに示すフローチャートなどを参照して説明する。
【００３９】
まず、制御部３１が、図５に示すような初期画面Ｇ１を表示させているものとする（Ｓ１０１）。この初期画面Ｇ１には、それぞれの機能に対応付けられた複数の機能キー４１Ａ〜４１Ｈ等が表示されている。例えば、機能キー４１Ａがコピー機能に対応し、機能キー４１Ｂがプリント機能に対応し、機能キー４１Ｃがファクシミリキーに対応し、他の各キー４１Ｄ〜４１Ｈが他のそれぞれの機能に対応する。ユーザーが任意の機能キーにタッチ操作すると、制御部３１は、タッチパネル２３を通じて、その任意の機能キーに対するタッチ操作を検出し、この機能キーの機能に係る各設定項目の値を設定するための設定画面を表示部２１に表示させる（Ｓ１０２）。この設定画面には、複数の設定項目が表示され、該各設定項目の値が設定値データテーブルＴＤに記憶されている。
【００４０】
例えば、ユーザーがコピー機能に対応付けられた機能キー４１Ａにタッチ操作すると、制御部３１は、タッチパネル２３を通じて、機能キー４１Ａに対するタッチ操作を検出し、図６に示すようなコピー機能の設定画面Ｇ２を表示部２１に表示させる。この図６に示すコピー機能の設定画面Ｇ２には、用紙サイズの設定項目Ｃ１、給紙元の設定項目Ｃ２、濃度の設定項目Ｃ３、カラーの設定項目Ｃ４、縮小／拡大の設定項目Ｃ５、両面／分割の設定項目Ｃ６、ページ集約の設定項目Ｃ７、及びソート／仕分けの設定項目Ｃ８等が表示されている。これらの設定項目Ｃ１〜Ｃ８の値は、画像形成装置１０の起動時に、初期値
データテーブルＳＤにおける各設定項目の値が設定値データテーブルＴＤにロードされて記憶されたものである。
【００４１】
このようにコピー機能の設定画面Ｇ２が表示されている状態で、制御部３１は、操作部２２のリセットキーＲＥが操作されたか否かを判定する（Ｓ１０３）。例えば、操作部２２のリセットキーＲＥが操作されず、操作部２２又はタッチパネル２３に対して他の操作が行われると（Ｓ１０３「Ｎｏ」）、制御部３１が他の処理を実行する（Ｓ１０４）。例えば、制御部３１は、タッチパネル２３を通じて、いずれかの設定項目に対するタッチ操作を検出すると、該設定項目を選択し、引き続く操作部２２又はタッチパネル２３に対する操作に応じて設定データテーブルＴＤにおける該設定項目の値を変更する。あるいは、制御部３１は、操作部２２のスタートキーが操作されると、設定データテーブルＴＤにおける各設定項目の値に基づきコピー機能のジョブを実行する。
【００４２】
また、制御部３１は、操作部２２のリセットキーＲＥが操作されると（Ｓ１０３「Ｙｅｓ」）、リセットキーＲＥの操作継続時間Ｔの計時を開始して（Ｓ１０５）、この操作継続時間Ｔを予め設定された２つの時間ｔ１及び時間ｔ２（ｔ１＜ｔ２）と比較する（Ｓ１０６）。例えば、時間ｔ１は第１時間であり、時間ｔ１が２秒に設定され、また時間ｔ２は第２時間であり、時間ｔ２が５秒に設定されている。
【００４３】
そして、制御部３１は、図７Ａに示すようにリセットキーＲＥの操作継続時間Ｔが時間ｔ１に達するまでの期間Δｔ１は「総リセットモード」の設定タイミングである旨を示すメッセージＭ１を表示部２１の設定画面に表示させ、また図７Ｂに示すようにリセットキーＲＥの操作継続時間Ｔが時間ｔ１を経過して時間ｔ２に達するまでの期間Δｔ２は「個別リセットモード又は画面リセットモード」の設定タイミングである旨を示すメッセージＭ２を表示部２１の設定画面に表示させ、更に図７Ｃに示すようにリセットキーＲＥの操作継続時間Ｔが時間ｔ２を経過してからの期間Δｔ３は「除外個別リセットモード又は除外画面リセットモード」の設定タイミングである旨を示すメッセージＭ３を表示部２１の設定画面に表示させる（Ｓ１０７）。
【００４４】
制御部３１は、各期間Δｔ１、Δｔ２、Δｔ３にそれぞれのメッセージを表示しつつ、操作部２２のリセットキーＲＥの操作が終了（例えばリセットキーＲＥの押下を終了）したか、後で述べるスワイプ操作が行われたか、又は操作部２２のスタートキーが操作されかを判定し（Ｓ１０８）、この判定のタイミングに基づき「総リセットモード」、「個別リセットモード」、「画面リセットモード」、「除外個別リセットモード」、及び「除外画面リセットモード」のいずれかを設定する（Ｓ１０９、Ｓ１１１、Ｓ１２５、Ｓ１２７、Ｓ１２９）。なお、期間Δｔ１は第１期間、Δｔ２は第２期間、Δｔ３は第３期間に対応する。
【００４５】
このため、ユーザーは、リセットキーＲＥを操作しながら、表示部２１の設定画面に表示されているメッセージを見て、いずれかの期間においてリセットキーＲＥの操作を終了するか、後で述べるスワイプ操作を行うか、又はスタートキーを操作することにより「総リセットモード」、「個別リセットモード」、「画面リセットモード」、「除外個別リセットモード」、及び「除外画面リセットモード」のいずれかを設定することができる。
【００４６】
＜総リセットモード＞
制御部３１は、リセットキーＲＥの操作継続時間Ｔが期間Δｔ１で終了した場合に（Ｓ１０８「Δｔ１」）、総リセットモードを設定し（Ｓ１０９）、図８に示すように設定データテーブルＴＤにおける全ての設定項目の値を初期値データテーブルＳＤにおけるそれぞれの設定項目の値に変更して、設定データテーブルＴＤにおける全ての設定項目の値を初期化する（Ｓ１１０）。
【００４７】
従って、ユーザーは、リセットキーＲＥの操作継続時間Ｔを期間Δｔ１で終了させることにより設定データテーブルＴＤにおける全ての設定項目の値を初期化することができる。
【００４８】
＜個別リセットモード＞
制御部３１は、リセットキーＲＥの操作継続時間Ｔが期間Δｔ２に入っているときに、タッチパネル２３を通じて、表示部２１の設定画面における各設定項目のいずれかに対するスワイプ操作を検出するか、又は操作部２２のスタートキーが操作されると（Ｓ１０８「Δｔ２、設定項目」）、個別リセットモードを設定する（Ｓ１１１）。
【００４９】
例えば、リセットキーＲＥの操作継続時間Ｔが期間Δｔ２に入っているときに、表示部２１の設定画面におけるいずれかの設定項目に対するスワイプ操作が検出されて、個別リセットモードが設定された場合（Ｓ１１２「スワイプ」）、制御部３１は、図９に示すように設定データテーブルＴＤにおけるそのスワイプ操作された設定項目の値を初期値データテーブルＳＤにおけるその設定項目の値に変更して、設定データテーブルＴＤにおける該設定項目の値を初期化する（Ｓ１１３）。これにより、例えば図６に示す設定画面Ｇ２における設定項目（用紙サイズ）Ｃ１の値が初期化される。
【００５０】
また、制御部３１は、個別リセットモードを一度設定すると、リセットキーＲＥが操作されていなくても、一定の時間だけ個別リセットモードを保持し、表示部２１の設定画面におけるいずれかの設定項目に対するスワイプ操作を再度検出すると（Ｓ１１４「Ｙｅｓ」）、設定データテーブルＴＤにおける該設定項目の値を初期化し（Ｓ１１３）、この再度検出から一定の時間だけ個別リセットモードを延長して保持する。
【００５１】
また、制御部３１は、個別リセットモードが設定されていても、タッチパネル２３を通じて、表示部２１の設定画面における設定項目の値を更新するための操作（スワイプ操作とは異なる操作）を検出すると（Ｓ１１５「Ｙｅｓ」）、この操作に応じて設定データテーブルＴＤにおける該設定項目の値を更新し（Ｓ１１６）、この設定項目の値を更新するための操作から一定の時間だけ個別リセットモードを延長して保持する。
【００５２】
また、制御部３１は、その一定の時間が経過すると（Ｓ１１７「Ｙｅｓ」）、個別リセットモードを終了して、図４Ａ、図４Ｂの処理を終了する。
【００５３】
従って、ユーザーは、任意の設定項目に対してスワイプ操作を行うことにより設定データテーブルＴＤにおける該設定項目の値のみを初期化したり、任意の設定項目に対して該設定項目の値を更新するための操作を行うことにより設定データテーブルＴＤにおける該設定項目の値を更新したりすることができる。
【００５４】
一方、リセットキーＲＥの操作継続時間Ｔが期間Δｔ２に入っているときに、操作部２２のスタートキーが操作されて、個別リセットモードが設定された場合（Ｓ１１２「スタートキー」）、制御部３１は、そのスタートキーの操作に応じて設定データテーブルＴＤにおける各設定項目の値に基づきコピー機能のジョブを実行する（Ｓ１１８）。そして、制御部３１は、設定データテーブルＴＤにおける各設定項目の値を履歴データテーブルＨＤに書き込んで保存する（Ｓ１１９）。
【００５５】
また、制御部３１は、リセットキーＲＥが操作されていなくても、スタートキーの操作から一定の時間だけ個別リセットモードを保持し、操作部２２のスタートキーが再度操作されると（Ｓ１２０「スタートキー」）、設定データテーブルＴＤにおける各設定項目の値に基づきコピー機能のジョブを再度実行して（Ｓ１１８）、設定データテーブルＴＤにおける各設定項目の値を図３に示す履歴データテーブルＨＤに再度書き込んで保存し（Ｓ１１９）、更にリセットキーＲＥの操作から一定の時間だけ個別リセットモードを延長して保持する。
【００５６】
また、制御部３１は、個別リセットモードを保持している間に、タッチパネル２３を通じて、表示部２１の設定画面におけるいずれかの設定項目に対するスワイプ操作を検出すると（Ｓ１２０「スワイプ」）、設定データテーブルＴＤにおける該設定項目の値を履歴データテーブルＨＤにおけるその設定項目の最初に保存された値に戻して、履歴データテーブルＨＤにおけるその設定項目の値を消去し（Ｓ１２１）、更にスワイプ操作から一定の時間だけ個別リセットモードを延長して保持する。
【００５７】
また、制御部３１は、個別リセットモードを保持している間に、タッチパネル２３を通じて、表示部２１の設定画面における設定項目の値を更新するための操作（スワイプ操作とは異なる操作）を検出すると（Ｓ１２２「Ｙｅｓ」）、設定データテーブルＴＤにおける該設定項目の値を更新し（Ｓ１２３）、更に該操作から一定の時間だけ個別リセットモードを延長して保持する。
【００５８】
また、操作部２２のスタートキーの操作又はスワイプ操作から一定の時間が経過すると（Ｓ１２４「Ｙｅｓ」）、制御部３１は、個別リセットモードを終了して、図４Ａ、図４Ｂの処理を終了する。
【００５９】
このようなＳ１１８〜Ｓ１２４は、個別リセットモードが保持されている限り、繰り返される。
【００６０】
このため、ユーザーは、スタートキーを操作して、設定データテーブルＴＤにおける各設定項目の値に基づきコピー機能のジョブを実行させて、図１０Ａに示すように設定データテーブルＴＤにおける各設定項目の値を履歴データテーブルＨＤに書き込んで保存することができる。また、ユーザーは、表示部２１の設定画面における設定項目の値を更新するための操作を行って、図１０Ｂに示すように設定データテーブルＴＤにおける該設定項目の値を更新し、この後にスタートキーを操作して、設定データテーブルＴＤにおける各設定項目の値に基づきコピー機能のジョブを実行させて、図１０Ｃに示すように設定データテーブルＴＤにおける各設定項目の値を履歴データテーブルＨＤに再度書き込んで保存することができる。更に、ユーザーは、表示部２１の設定画面におけるいずれかの設定項目に対するスワイプ操作を行って、図１０Ｄに示すように設定データテーブルＴＤにおける該設定項目の値を履歴データテーブルＨＤにおけるその設定項目の最初に保存された値に戻すことができる。すなわち、ユーザーは、設定データテーブルＴＤにおける設定項目の値を更新したり元に戻したりしながら、コピー機能のジョブを繰り返し実行して、設定データテーブルＴＤにおける設定項目の値を最適に設定することができる。
【００６１】
＜画面リセットモード＞
制御部３１は、リセットキーＲＥの操作継続時間Ｔが期間Δｔ２に入っているときに、タッチパネル２３を通じて、表示部２１の設定画面における空きスペース（例えば、図６に示す設定画面Ｇ２における各設定項目Ｃ１〜Ｃ８以外の領域である）に対するスワイプ操作を検出すると（Ｓ１０８「Δｔ２、画面」）、画面リセットモードを設定して（Ｓ１２５）、設定データテーブルＴＤから表示部２１の設定画面に表示されている各設定項目の値を選択し、この選択した各設定項目の値を初期値データテーブルＳＤにおけるそれらの設定項目の値に変更して、設定データテーブルＴＤにおける該各設定項目の値を初期化する（Ｓ１２６）。これにより、例えば図６に示す設定画面Ｇ２における各設定項目Ｃ１〜Ｃ８の値が初期化される。
【００６２】
従って、ユーザーは、リセットキーＲＥの操作継続時間Ｔが期間Δｔ２に入っているときに表示部２１の設定画面における空きスペースに対してスワイプ操作を行うことにより、表示部２１の設定画面に表示されている各設定項目の値を選択して、設定データテーブルＴＤにおける該各設定項目の値を初期化することができる。
【００６３】
＜除外個別リセットモード＞
制御部３１は、リセットキーＲＥの操作継続時間Ｔが期間Δｔ３に入ってから、タッチパネル２３を通じて、表示部２１の設定画面におけるいずれかの設定項目に対するスワイプ操作を検出すると（Ｓ１０８「Δｔ３、設定項目」）、除外個別リセットモードを設定する（Ｓ１２７）。
【００６４】
そして、制御部３１は、その設定画面におけるスワイプ操作された設定項目を除く他の各設定項目を選択し、設定データテーブルＴＤにおける該他の各設定項目の値を初期値データテーブルＳＤにおけるそれらの設定項目の値に変更して、設定データテーブルＴＤにおける該他の各設定項目の値を初期化する（Ｓ１２８）。
【００６５】
従って、ユーザーは、リセットキーＲＥの操作継続時間Ｔが期間Δｔ３に入っているときに設定画面における任意の設定項目に対してスワイプ操作を行うことにより、当該任意の設定項目とは異なる、該設定画面における他の各設定項目の値を選択して、設定データテーブルＴＤにおける該他の各設定項目の値を初期化することができる。
【００６６】
＜除外画面リセットモード＞
制御部３１は、リセットキーＲＥの操作継続時間Ｔが期間Δｔ３に入ってから、タッチパネル２３を通じて、表示部２１の設定画面における空きスペースに対するスワイプ操作を検出すると（Ｓ１０８「Δｔ３、画面」）、除外画面リセットモードを設定する（Ｓ１２９）。
【００６７】
そして、制御部３１は、表示部２１の設定画面に表示されている各設定項目を除いて、該設定画面と関連する他の設定画面に表示される別の各設定項目の値を選択し、設定データテーブルＴＤにおける該別の各設定項目の値を初期値データテーブルＳＤにおけるそれらの設定項目の値に変更して、設定データテーブルＴＤにおける該別の各設定項目の値を初期化する（Ｓ１３０）。例えば、コピー機能に係る複数の設定画面が階層構造の関係を有しており、該各設定画面のいずれかが表示部２１に切替え表示されている状態で、その設定画面の空きスペースに対してスワイプ操作が行われた場合は、この設定画面の各設定項目が除かれて、コピー機能に係る他の設定画面における別の各設定項目の値が選択されて初期化される。
【００６８】
従って、ユーザーは、リセットキーＲＥの操作継続時間Ｔが期間Δｔ３に入っているときに設定画面における空きスペースに対してスワイプ操作を行うことにより該設定画面に関係する他の設定画面に表示される別の各設定項目の値を選択して、設定データテーブルＴＤにおける該別の各設定項目の値を初期化することができる。
【００６９】
このように本実施形態では、ユーザーは、リセットキーＲＥの操作、スワイプ操作、スタートキーの操作を適宜組み合わせて行うことにより、「総リセットモード」、「個別リセットモード」、「画面リセットモード」、「除外個別リセットモード」、及び「除外画面リセットモード」のいずれかを選択的に設定して、その選択設定したモードでリセットを行うことができる。
【００７０】
すなわち、本実施形態によれば、画像形成装置１０の動作に係る複数の設定項目の値を適宜選択して初期化することができる。
【００７１】
なお、上記実施形態では、本発明に係る電子機器の一実施形態として画像形成装置１０を示しているが、本発明に係る電子機器はこれに限られず、他の電子機器、例えば、コンピューター、医療機器、カーナビゲーション機器等であってもよい。また、上記実施形態では、本発明の一実施形態に係る画像形成装置として複合機を用いて説明しているが、これは一例に過ぎず、コピー機、プリンター、ファクシミリ装置等の他の画像形成装置でもよい。
【００７２】
また、図１乃至図１０Ｄを用いて説明した上記実施形態の構成及び処理は、本発明の一例に過ぎず、本発明を当該構成及び処理に限定する趣旨ではない。
【図１】
2020100404.tif 000003
【図２】
2020100404.tif 000004
【図３】
2020100404.tif 000005
【図４Ａ】
2020100404.tif 000006
【図４Ｂ】
2020100404.tif 000007
【図５】
2020100404.tif 000008
【図６】
2020100404.tif 000009
【図７Ａ】
2020100404.tif 000010
【図７Ｂ】
2020100404.tif 000011
【図７Ｃ】
2020100404.tif 000012
【図８】
2020100404.tif 000013
【図９】
2020100404.tif 000014
【図１０Ａ】
2020100404.tif 000015
【図１０Ｂ】
2020100404.tif 000016
【図１０Ｃ】
2020100404.tif 000017
【図１０Ｄ】
2020100404.tif 000018
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
電子機器において、
前記電子機器の動作に係る複数の設定項目の値を設定する制御部と、
前記複数の設定項目を表示する表示部と、
ユーザーにより操作される操作部とを備え、
前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、
記憶部を更に備え、
前記制御部は、前記個別リセットモードが設定された状態でジョブが実行された場合は、前記ジョブの実行時の前記各設定項目の値を履歴情報として前記記憶部に記憶させ、以降のジョブの実行に際し、前記操作部の操作により前記設定項目のリセットが指示されたときに、当該設定項目の値を前記記憶部に記憶されている履歴情報の該設定項目の値のいずれかに設定する、電子機器。
【請求項２】
電子機器において、
前記電子機器の動作に係る複数の設定項目の値を設定する制御部と、
前記複数の設定項目を表示する表示部と、
ユーザーにより操作される操作部とを備え、
前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉ）前記リセットキーの操作継続時間が前記第１時間の経過後から予め設定された第２時間に達するまでの第２期間において、前記個別リセットモードの設定タイミングである旨を示すメッセージを前記表示部に表示させ、前記第２期間において前記操作部の操作がされた場合に前記個別リセットモードを設定する、電子機器。
【請求項３】
電子機器において、
前記電子機器の動作に係る複数の設定項目の値を設定する制御部と、
前記複数の設定項目を表示する表示部と、
ユーザーにより操作される操作部とを備え、
前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、
前記制御部は、前記操作部の操作により画面リセットモードが設定された場合は、前記表示部の画面に表示されている各設定項目の値を初期化し、
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉ）前記リセットキーの操作継続時間が前記第１時間の経過後から予め設定された第２時間に達するまでの第２期間において、前記個別リセットモード又は前記画面リセットモードの設定タイミングである旨を示すメッセージを前記表示部に表示させ、前記第２期間において前記操作部の操作により前記表示部の画面における設定項目のリセットの指示があった場合に前記個別リセットモードを設定し、前記表示部の画面における空きスペースに対する操作指示があった場合に前記画面リセットモードを設定する、電子機器。
【請求項４】
電子機器において、
前記電子機器の動作に係る複数の設定項目の値を設定する制御部と、
前記複数の設定項目を表示する表示部と、
ユーザーにより操作される操作部とを備え、
前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、
前記制御部は、前記操作部の操作により除外個別リセットモードが設定された場合は、前記操作部の操作により指示された前記表示部の画面における設定項目を除いて、前記画面に表示されている他の各設定項目の値を初期化し、
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉｉ）前記リセットキーの操作継続時間が前記第１時間の経過後から予め設定された第２時間が経過した後の第３期間において、前記除外個別リセットモードの設定タイミングである旨を示すメッセージを前記表示部に表示させ、前記第３期間において前記操作部の操作により前記表示部の画面における設定項目のリセットの指示があった場合に前記除外個別リセットモードを設定する、電子機器。
【請求項５】
電子機器において、
前記電子機器の動作に係る複数の設定項目の値を設定する制御部と、
前記複数の設定項目を表示する表示部と、
ユーザーにより操作される操作部とを備え、
前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、
前記制御部は、前記操作部の操作により除外画面リセットモードが設定された場合は、前記表示部の画面に表示されている各設定項目の値を除いて、前記表示部の他の画面に表示される別の各設定項目の値を初期化し、
前記操作部はリセットキーを有し、
前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉｉ）前記リセットキーの操作継続時間が前記第１時間の経過後から予め設定された第２時間が経過した後の第３期間において、前記除外画面リセットモードの設定タイミングである旨を示すメッセージを前記表示部に表示させ、前記第３期間において前記表示部の画面における空きスペースに対する操作指示があった場合に前記除外画面リセットモードを設定する、電子機器。
【請求項６】
前記制御部は、前記操作部の操作により前記個別リセットモードが設定された場合は、前記操作部の操作により前記表示部の画面における設定項目のリセットの指示とは異なる他の指示が該設定項目に対してなされると、前記他の指示に基づく処理を実行する請求項１乃至請求項５のいずれかに記載の電子機器。
【請求項７】
請求項１乃至請求項６のいずれかに記載の電子機器と、
記録媒体に画像を形成する画像形成部と、を備えた画像形成装置。
【手続補正２】
【補正対象書類名】明細書
【補正対象項目名】全文
【補正方法】変更
【補正の内容】
【発明の詳細な説明】
【技術分野】
【０００１】
本発明は、ユーザーが操作部を操作して、電子機器の動作に係る複数の設定項目の値を初期化するための技術に関する。
【背景技術】
【０００２】
電子機器の一例である画像形成装置では、例えばコピーに関して、画像の印刷濃度、画像の拡大縮小率、記録紙のサイズなどの複数の設定項目の値が初期化されて設定されており、コピーの実行に際しては、ユーザーがそれらの設定項目の値を変更することができる。しかしながら、ユーザーが多くの設定項目の値を変更した後、これらの設定項目の値の初期化が一括して行われると、全ての設定項目の値を再設定する必要があり、この再設定の作業が煩雑となる。
【０００３】
このため、特許文献１では、オペレータにより印刷操作画面上のリセットボタンが１回押圧された場合は、印刷操作画面上で設定されているプリンターの指定はそのままで、出力形式の設定のみをリセット（初期化）し、またリセットボタンが２回続けて押圧された場合は、プリンターの指定及び出力形式の設定の全てをリセットしている。すなわち、リセットボタンに対して１回押圧及び２回続けての押圧のいずれがなされたかに応じてリセットの内容を変更している。これにより、設定作業の操作性を向上させる。
【先行技術文献】
【特許文献】
【０００４】
【特許文献１】特開２００２−１６５０５７号公報
【発明の概要】
【０００５】
しかしながら、特許文献１には、装置の動作に係る各設定項目を個別にリセットする技術が開示されていない。特許文献１に記載の技術は、リセットボタンに対する押圧回数に応じてプリンターの指定及び出力形式の設定についてのリセット内容を変更するだけであり、この技術を用いて、装置の動作に係る各設定項目を個別にリセットすることはできない。
【０００６】
本発明は、上記の事情に鑑みなされたものであり、電子機器の動作に係る複数の設定項目の値を適宜選択して初期化できるようにすることを目的とする。
【課題を解決するための手段】
【０００７】
本発明の一局面にかかる電子機器は、電子機器の動作に係る複数の設定項目の値を設定する制御部と、前記複数の設定項目を表示する表示部と、ユーザーにより操作される操作部とを備え、前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、記憶部を更に備え、前記制御部は、前記個別リセットモードが設定された状態でジョブが実行された場合は、前記ジョブの実行時の前記各設定項目の値を履歴情報として前記記憶部に記憶させ、以降のジョブの実行に際し、前記操作部の操作により前記設定項目のリセットが指示されたときに、当該設定項目の値を前記記憶部に記憶されている履歴情報の該設定項目の値のいずれかに設定する、ものである。
本発明の他の一局面にかかる電子機器は、前記電子機器の動作に係る複数の設定項目の値を設定する制御部と、前記複数の設定項目を表示する表示部と、ユーザーにより操作される操作部とを備え、前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、前記操作部はリセットキーを有し、前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉ）前記リセットキーの操作継続時間が前記第１時間の経過後から予め設定された第２時間に達するまでの第２期間において、前記個別リセットモードの設定タイミングである旨を示すメッセージを前記表示部に表示させ、前記第２期間において前記操作部の操作がされた場合に前記個別リセットモードを設定する、ものである。
本発明の他の一局面にかかる電子機器は、前記電子機器の動作に係る複数の設定項目の値を設定する制御部と、前記複数の設定項目を表示する表示部と、ユーザーにより操作される操作部とを備え、前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、前記制御部は、前記操作部の操作により画面リセットモードが設定された場合は、前記表示部の画面に表示されている各設定項目の値を初期化し、前記操作部はリセットキーを有し、前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉ）前記リセットキーの操作継続時間が前記第１時間の経過後から予め設定された第２時間に達するまでの第２期間において、前記個別リセットモード又は前記画面リセットモードの設定タイミングである旨を示すメッセージを前記表示部に表示させ、前記第２期間において前記操作部の操作により前記表示部の画面における設定項目のリセットの指示があった場合に前記個別リセットモードを設定し、前記表示部の画面における空きスペースに対する操作指示があった場合に前記画面リセットモードを設定する、ものである。
本発明の他の一局面にかかる電子機器は、前記電子機器の動作に係る複数の設定項目の値を設定する制御部と、前記複数の設定項目を表示する表示部と、ユーザーにより操作される操作部とを備え、前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、前記制御部は、前記操作部の操作により除外個別リセットモードが設定された場合は、前記操作部の操作により指示された前記表示部の画面における設定項目を除いて、前記画面に表示されている他の各設定項目の値を初期化し、前記操作部はリセットキーを有し、前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉｉ）前記リセットキーの操作継続時間が前記第１時間の経過後から予め設定された第２時間が経過した後の第３期間において、前記除外個別リセットモードの設定タイミングである旨を示すメッセージを前記表示部に表示させ、前記第３期間において前記操作部の操作により前記表示部の画面における設定項目のリセットの指示があった場合に前記除外個別リセットモードを設定する、ものである。
本発明の他の一局面にかかる電子機器は、前記電子機器の動作に係る複数の設定項目の値を設定する制御部と、前記複数の設定項目を表示する表示部と、ユーザーにより操作される操作部とを備え、前記制御部は、前記操作部の操作に基づき前記各設定項目の値を設定し、前記操作部の操作により総リセットモードが設定された場合は、前記各設定項目の値を全て初期化し、前記操作部の操作により個別リセットモードが設定された場合は、前記表示部の画面に表示されている前記各設定項目のうち、前記操作部の操作によりリセットが指示された設定項目のみの値を初期化し、前記制御部は、前記操作部の操作により除外画面リセットモードが設定された場合は、前記表示部の画面に表示されている各設定項目の値を除いて、前記表示部の他の画面に表示される別の各設定項目の値を初期化し、前記操作部はリセットキーを有し、前記制御部は、前記操作部の前記リセットキーが操作されると、当該リセットキーの操作継続時間の計時を開始し、（ｉ）前記操作継続時間が予め設定された第１時間に達するまでの第１期間において、前記総リセットモードの設定タイミングである旨を示すメッセージを前記表示部に表示させ、前記第１期間において前記リセットキーの操作が終了された場合又は前記操作部の操作がされた場合に前記総リセットモードを設定し、（ｉｉｉ）前記リセットキーの操作継続時間が前記第１時間の経過後から予め設定された第２時間が経過した後の第３期間において、前記除外画面リセットモードの設定タイミングである旨を示すメッセージを前記表示部に表示させ、前記第３期間において前記表示部の画面における空きスペースに対する操作指示があった場合に前記除外画面リセットモードを設定する、ものである。
【０００８】
本発明の一局面にかかる画像形成装置は、上記電子機器と、記録媒体に画像を形成する画像形成部と、を備えるものである。
【発明の効果】
【０００９】
本発明によれば、電子機器の動作に係る複数の設定項目の値を適宜選択して初期化することができる。
【図面の簡単な説明】
【００１０】
【図１】本発明の一実施形態にかかる画像形成装置を示す断面図である。
【図２】本実施形態の画像形成装置の主要内部構成を示すブロック図である。
【図３】初期値データテーブル、設定データテーブル、及び履歴データテーブルを概念的に示す図である。
【図４Ａ】画像形成装置の動作に係る設定項目の値を初期化するための処理手順を示すフローチャートである。
【図４Ｂ】図４Ａに引き続く処理を示すフローチャートである。
【図５】表示部に表示された初期画面を示す図である。
【図６】表示部に表示されたコピー機能の設定画面を示す図である。
【図７Ａ】リセットキーの操作期間に応じて表示部に表示されるメッセージを示す図である。
【図７Ｂ】リセットキーの操作期間に応じて表示部に表示されるメッセージを示す図である。
【図７Ｃ】リセットキーの操作期間に応じて表示部に表示されるメッセージを示す図である。
【図８】総リセットモードでの設定データテーブルの初期化を説明するために用いた図である。
【図９】個別リセットモードでの設定データテーブルの初期化を説明するために用いた図である。
【図１０Ａ】個別リセットモードでの履歴データテーブルを用いて設定データテーブルの設定項目の値を元に戻すための手順を説明するために用いた図である。
【図１０Ｂ】個別リセットモードでの履歴データテーブルを用いて設定データテーブルの設定項目の値を元に戻すための手順を説明するために用いた図である。
【図１０Ｃ】個別リセットモードでの履歴データテーブルを用いて設定データテーブルの設定項目の値を元に戻すための手順を説明するために用いた図である。
【図１０Ｄ】個別リセットモードでの履歴データテーブルを用いて設定データテーブルの設定項目の値を元に戻すための手順を説明するために用いた図である。
【発明を実施するための形態】
【００１１】
以下、本発明の一実施形態にかかる電子機器及び画像形成装置について図面を参照して説明する。
【００１２】
図１は、本発明の一実施形態にかかる画像形成装置を示す断面図である。この図１に示す画像形成装置１０は、本発明に係る電子機器の一例であり、例えばコピー機能、プリンター機能、ファクシミリ機能のような複数の機能を兼ね備えたＭＦＰ（複合機）である。画像形成装置１０は、画像読取部１１と、画像形成部１２とを備えている。
【００１３】
画像読取部１１は、原稿の画像を光学的に読み取る撮像素子を有しており、この撮像素子のアナログ出力がデジタル信号に変換されて、原稿の画像を示す画像データが生成される。
【００１４】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１５】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１６】
次に、画像形成装置１０の制御に係る構成について説明する。図２は、画像形成装置１０の主要内部構成を示す機能ブロック図である。この図２に示すように画像形成装置１０は、画像読取部１１と、画像形成部１２と、表示部２１と、操作部２２と、タッチパネル２３と、ファクシミリ通信部２４と、記憶部２８と、制御ユニット２９とを備えている。これらの構成要素は、互いにバスを通じてデータ又は信号の送受信が可能とされている。
【００１７】
表示部２１は、液晶ディスプレイ（ＬＣＤ：Liquid Crystal Display）や有機ＥＬ（ＯＬＥＤ：Organic Light-Emitting Diode）ディスプレイなどから構成される。
【００１８】
操作部２２は、テンキー、決定キー、スタートキー、リセットキーなどの物理キーを備えている。
【００１９】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１に出力する。
【００２０】
ファクシミリ通信部（ＦＡＸ通信部）２４は、画像データを、ネットワークを通じて他の画像形成装置やファクシミリ装置（図示せず）などとの間で送受信する。
【００２１】
記憶部２８は、ＳＳＤ（Solid State Drive）、ＨＤＤ（Hard Disk Drive）などの大容量の記憶部であって、各種のアプリケーションプログラムや種々のデータを記憶している。
【００２２】
制御ユニット２９は、プロセッサー、ＲＡＭ（Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２３】
制御ユニット２９は、画像形成装置１０を統括的に制御する。制御ユニット２９は、画像読取部１１、画像形成部１２、表示部２１、操作部２２、タッチパネル２３、ファクシミリ通信部２４、及び記憶部２８などと接続されており、これらの構成要素の動作制御や、該各構成要素との間での信号またはデータの送受信を行う。
【００２４】
制御部３１は、画像形成装置１０による画像形成に必要な各種の処理などを実行する処理部としての役割を果たす。また、制御部３１は、タッチパネル２３から出力される検知信号あるいは操作部２２の物理キーの操作に基づき、ユーザーにより入力された操作指示を受け付ける。更に、制御部３１は、表示部２１の表示動作を制御する機能、ファクシミリ通信部２４の通信動作を制御する機能を有する。
【００２５】
このような構成の画像形成装置１０において、ユーザーは、操作部２２及びタッチパネル２３を操作することによりファクシミリ通信機能、コピー機能、プリンター機能、及びスキャナー機能のいずれかを選択して、ジョブを実行させることができる。例えば、ユーザーが、コピー機能を選択して、ジョブの実行を指示すると、制御部３１は、画像読取部１１により原稿の画像を読取らせ、画像形成部１２により原稿の画像を記録紙に印刷させる。同様に、ファクシミリ通信機能、プリンター機能、及びスキャナー機能についても、ユーザーが、機能を選択して、ジョブの実行を指示すると、制御部３１は、そのジョブを実行する。
【００２６】
また、画像形成装置１０においては、画像形成装置の動作に係る各設定項目を記憶部２８内の初期値データテーブルＳＤに記憶させている。例えば、制御部３１は、コピーに関し、印刷濃度、拡大縮小率、記録紙のサイズなどの複数の設定項目の値（初期値）が記憶部２８内の初期値データテーブルＳＤに記憶させている。制御部３１は、画像形成装置１０の起動時に、初期値データテーブルＳＤにおける各設定項目の値を設定値データテーブルＴＤにロードして記憶させる。この設定値データテーブルＴＤは、例えば制御ユニット２９のＲＡＭに生成されて保存される。
【００２７】
制御部３１は、この設定値データテーブルＴＤに記憶されている各設定項目の値を、ユーザーによる指示等に応じて、コピーの実行の前に変更する。これらの設定項目を含む設定画面が表示部２１の画面に表示された状態で、ユーザーは、設定画面に対するタッチ操作により設定項目の値の変更を指示する。制御部３１は、タッチパネル２３を通じて、その指示を受け付け、設定値データテーブルＴＤにおける該設定項目の値を変更する。そして、ユーザーが操作部２２のスタートキーを操作すると、制御部３１は、設定値データテーブルＴＤにおける各設定項目の値に基づき、画像形成部１２により原稿の画像を記録紙に印刷させる。
【００２８】
図３は、初期値データテーブルＳＤ及び設定データテーブルＴＤなどを概念的に示している。この図３に示すように初期値データテーブルＳＤには、制御部３１による設定により、各設定項目の値（初期値）が記憶されている。同様に、設定データテーブルＴＤにも、各設定項目の値が記憶されており、これらの設定項目の値の変更が可能である。尚、図３には、履歴データテーブルＨＤも示されているが、この履歴データテーブルＨＤについては後で説明する。
【００２９】
ここで、ユーザーが設定値データテーブルＴＤにおける多くの設定項目の値を変更した後、設定値データテーブルＴＤにおける全ての設定項目の値の初期化が一括して行われると、全ての設定項目の値を再設定する必要があり、この再設定の作業が煩雑となる。
【００３０】
そこで、本実施形態では、ユーザーが、操作部２２及びタッチパネル２３を操作することにより総リセットモード、個別リセットモード、画面リセットモード、除外個別リセットモード、及び除外画面リセットモードのいずれかを選択的に設定すると、制御部３１が、その選択設定されたモードでのリセットを行う。
【００３１】
例えば、総リセットモードが設定されると、制御部３１は、設定データテーブルＴＤにおける全ての設定項目の値を初期値データテーブルＳＤにおけるそれぞれの設定項目の値に変更して、設定データテーブルＴＤにおける全ての設定項目の値を初期化する。
【００３２】
また、個別リセットモードが設定されかつユーザーが表示部２１の設定画面に表示されている任意の設定項目に対して、予め定められたタッチ操作（例えばスワイプ操作）を行うと、制御部３１は、タッチパネル２３を通じて、その任意の設定項目に対するスワイプ操作を検出し、設定データテーブルＴＤにおける該任意の設定項目の値を、初期値データテーブルＳＤにおけるその設定項目の値に変更して、該任意の設定項目の値を初期化する。
【００３３】
また、個別リセットモードが設定されかつユーザーが操作部２２のスタートキーを操作すると、制御部３１は、ジョブを実行して、当該ジョブ実行時における設定データテーブルＴＤにおける各設定項目の値を例えば履歴情報として履歴データテーブルＨＤに保存する。以降のジョブの実行に際し、ユーザーが表示部２１の設定画面に表示されている任意の設定項目に対して、予め定められたタッチ操作としてのスワイプ操作（以下、単にスワイプ操作という）を行うと、制御部３１は、タッチパネル２３を通じて、その任意の設定項目に対するスワイプ操作を検出し、設定データテーブルＴＤにおける該任意の設定項目の値を、履歴データテーブルＨＤにおけるその設定項目の値に戻す。
【００３４】
また、画面リセットモードが設定されると、制御部３１は、表示部２１の設定画面に表示されている各設定項目（表示部２１の設定画面に表示されている全ての設定項目）を選択し、設定データテーブルＴＤにおける該選択した各設定項目の値を初期値データテーブルＳＤのそれらの設定項目の値に変更して、該選択した各設定項目の値を初期化する。
【００３５】
また、除外個別リセットモードが設定されかつユーザーが表示部２１の設定画面に表示されている任意の設定項目に対してスワイプ操作を行うと、制御部３１は、タッチパネル２３を通じて、その任意の設定項目に対するスワイプ操作を検出する。そして、制御部３１は、表示部２１の設定画面に表示されている該任意の設定項目を除く他の各設定項目を選択し、設定データテーブルＴＤにおける該他の各設定項目の値を、初期値データテーブルＳＤにおけるそれらの設定項目の値に変更して、該他の各設定項目の値を初期化する。
【００３６】
また、除外画面リセットモードが設定されると、制御部３１は、表示部２１の設定画面に表示されている各設定項目を除いて、表示部２１の他の設定画面に表示される別の各設定項目の値を選択し、設定データテーブルＴＤにおける該別の各設定項目の値を初期値データテーブルＳＤにおけるそれらの設定項目の値に変更して、該別の各設定項目の値を初期化する。ただし、除外画面リセットモードは、同一機能に係る複数の設定画面が表示部２１に切替え表示される場合に適用され、該各画面のうちの表示部２１に表示されている画面を除く他の設定画面を選択して、この他の設定画面における別の各設定項目の値を初期化する。
【００３７】
ユーザーは、それらのモードのいずれかを設定して、その設定したモードでリセットを行わせることにより設定値データテーブルＴＤにおける各設定項目の値を選択的に初期化することができる。
【００３８】
次に、それらのモード別に、設定項目の値を初期化するための処理手順を、図４Ａ、図４Ｂに示すフローチャートなどを参照して説明する。
【００３９】
まず、制御部３１が、図５に示すような初期画面Ｇ１を表示させているものとする（Ｓ１０１）。この初期画面Ｇ１には、それぞれの機能に対応付けられた複数の機能キー４１Ａ〜４１Ｈ等が表示されている。例えば、機能キー４１Ａがコピー機能に対応し、機能キー４１Ｂがプリント機能に対応し、機能キー４１Ｃがファクシミリ機能に対応し、他の各キー４１Ｄ〜４１Ｈが他のそれぞれの機能に対応する。ユーザーが任意の機能キーにタッチ操作すると、制御部３１は、タッチパネル２３を通じて、その任意の機能キーに対するタッチ操作を検出し、この機能キーの機能に係る各設定項目の値を設定するための設定画面を表示部２１に表示させる（Ｓ１０２）。この設定画面には、複数の設定項目が表示され、該各設定項目の値が設定値データテーブルＴＤに記憶されている。
【００４０】
例えば、ユーザーがコピー機能に対応付けられた機能キー４１Ａにタッチ操作すると、制御部３１は、タッチパネル２３を通じて、機能キー４１Ａに対するタッチ操作を検出し、図６に示すようなコピー機能の設定画面Ｇ２を表示部２１に表示させる。この図６に示すコピー機能の設定画面Ｇ２には、用紙サイズの設定項目Ｃ１、給紙元の設定項目Ｃ２、濃度の設定項目Ｃ３、カラーの設定項目Ｃ４、縮小／拡大の設定項目Ｃ５、両面／分割の設定項目Ｃ６、ページ集約の設定項目Ｃ７、及びソート／仕分けの設定項目Ｃ８等が表示されている。これらの設定項目Ｃ１〜Ｃ８の値は、画像形成装置１０の起動時に、初期値
データテーブルＳＤにおける各設定項目の値が設定値データテーブルＴＤにロードされて記憶されたものである。
【００４１】
このようにコピー機能の設定画面Ｇ２が表示されている状態で、制御部３１は、操作部２２のリセットキーＲＥが操作されたか否かを判定する（Ｓ１０３）。例えば、操作部２２のリセットキーＲＥが操作されず、操作部２２又はタッチパネル２３に対して他の操作が行われると（Ｓ１０３「Ｎｏ」）、制御部３１が他の処理を実行する（Ｓ１０４）。例えば、制御部３１は、タッチパネル２３を通じて、いずれかの設定項目に対するタッチ操作を検出すると、該設定項目を選択し、引き続く操作部２２又はタッチパネル２３に対する操作に応じて設定データテーブルＴＤにおける該設定項目の値を変更する。あるいは、制御部３１は、操作部２２のスタートキーが操作されると、設定データテーブルＴＤにおける各設定項目の値に基づきコピー機能のジョブを実行する。
【００４２】
また、制御部３１は、操作部２２のリセットキーＲＥが操作されると（Ｓ１０３「Ｙｅｓ」）、リセットキーＲＥの操作継続時間Ｔの計時を開始して（Ｓ１０５）、この操作継続時間Ｔを予め設定された２つの時間ｔ１及び時間ｔ２（ｔ１＜ｔ２）と比較する（Ｓ１０６）。例えば、時間ｔ１は第１時間であり、時間ｔ１が２秒に設定され、また時間ｔ２は第２時間であり、時間ｔ２が５秒に設定されている。
【００４３】
そして、制御部３１は、図７Ａに示すようにリセットキーＲＥの操作継続時間Ｔが時間ｔ１に達するまでの期間Δｔ１は「総リセットモード」の設定タイミングである旨を示すメッセージＭ１を表示部２１の設定画面に表示させ、また図７Ｂに示すようにリセットキーＲＥの操作継続時間Ｔが時間ｔ１を経過して時間ｔ２に達するまでの期間Δｔ２は「個別リセットモード又は画面リセットモード」の設定タイミングである旨を示すメッセージＭ２を表示部２１の設定画面に表示させ、更に図７Ｃに示すようにリセットキーＲＥの操作継続時間Ｔが時間ｔ２を経過してからの期間Δｔ３は「除外個別リセットモード又は除外画面リセットモード」の設定タイミングである旨を示すメッセージＭ３を表示部２１の設定画面に表示させる（Ｓ１０７）。
【００４４】
制御部３１は、各期間Δｔ１、Δｔ２、Δｔ３にそれぞれのメッセージを表示しつつ、操作部２２のリセットキーＲＥの操作が終了（例えばリセットキーＲＥの押下を終了）したか、後で述べるスワイプ操作が行われたか、又は操作部２２のスタートキーが操作されかを判定し（Ｓ１０８）、この判定のタイミングに基づき「総リセットモード」、「個別リセットモード」、「画面リセットモード」、「除外個別リセットモード」、及び「除外画面リセットモード」のいずれかを設定する（Ｓ１０９、Ｓ１１１、Ｓ１２５、Ｓ１２７、Ｓ１２９）。なお、期間Δｔ１は第１期間、Δｔ２は第２期間、Δｔ３は第３期間に対応する。
【００４５】
このため、ユーザーは、リセットキーＲＥを操作しながら、表示部２１の設定画面に表示されているメッセージを見て、いずれかの期間においてリセットキーＲＥの操作を終了するか、後で述べるスワイプ操作を行うか、又はスタートキーを操作することにより「総リセットモード」、「個別リセットモード」、「画面リセットモード」、「除外個別リセットモード」、及び「除外画面リセットモード」のいずれかを設定することができる。
【００４６】
＜総リセットモード＞
制御部３１は、リセットキーＲＥの操作継続時間Ｔが期間Δｔ１で終了した場合に（Ｓ１０８「Δｔ１」）、総リセットモードを設定し（Ｓ１０９）、図８に示すように設定データテーブルＴＤにおける全ての設定項目の値を初期値データテーブルＳＤにおけるそれぞれの設定項目の値に変更して、設定データテーブルＴＤにおける全ての設定項目の値を初期化する（Ｓ１１０）。
【００４７】
従って、ユーザーは、リセットキーＲＥの操作継続時間Ｔを期間Δｔ１で終了させることにより設定データテーブルＴＤにおける全ての設定項目の値を初期化することができる。
【００４８】
＜個別リセットモード＞
制御部３１は、リセットキーＲＥの操作継続時間Ｔが期間Δｔ２に入っているときに、タッチパネル２３を通じて、表示部２１の設定画面における各設定項目のいずれかに対するスワイプ操作を検出するか、又は操作部２２のスタートキーが操作されると（Ｓ１０８「Δｔ２、設定項目」）、個別リセットモードを設定する（Ｓ１１１）。
【００４９】
例えば、リセットキーＲＥの操作継続時間Ｔが期間Δｔ２に入っているときに、表示部２１の設定画面におけるいずれかの設定項目に対するスワイプ操作が検出されて、個別リセットモードが設定された場合（Ｓ１１２「スワイプ」）、制御部３１は、図９に示すように設定データテーブルＴＤにおけるそのスワイプ操作された設定項目の値を初期値データテーブルＳＤにおけるその設定項目の値に変更して、設定データテーブルＴＤにおける該設定項目の値を初期化する（Ｓ１１３）。これにより、例えば図６に示す設定画面Ｇ２における設定項目（用紙サイズ）Ｃ１の値が初期化される。
【００５０】
また、制御部３１は、個別リセットモードを一度設定すると、リセットキーＲＥが操作されていなくても、一定の時間だけ個別リセットモードを保持し、表示部２１の設定画面におけるいずれかの設定項目に対するスワイプ操作を再度検出すると（Ｓ１１４「Ｙｅｓ」）、設定データテーブルＴＤにおける該設定項目の値を初期化し（Ｓ１１３）、この再度検出から一定の時間だけ個別リセットモードを延長して保持する。
【００５１】
また、制御部３１は、個別リセットモードが設定されていても、タッチパネル２３を通じて、表示部２１の設定画面における設定項目の値を更新するための操作（スワイプ操作とは異なる操作）を検出すると（Ｓ１１５「Ｙｅｓ」）、この操作に応じて設定データテーブルＴＤにおける該設定項目の値を更新し（Ｓ１１６）、この設定項目の値を更新するための操作から一定の時間だけ個別リセットモードを延長して保持する。
【００５２】
また、制御部３１は、その一定の時間が経過すると（Ｓ１１７「Ｙｅｓ」）、個別リセットモードを終了して、図４Ａ、図４Ｂの処理を終了する。
【００５３】
従って、ユーザーは、任意の設定項目に対してスワイプ操作を行うことにより設定データテーブルＴＤにおける該設定項目の値のみを初期化したり、任意の設定項目に対して該設定項目の値を更新するための操作を行うことにより設定データテーブルＴＤにおける該設定項目の値を更新したりすることができる。
【００５４】
一方、リセットキーＲＥの操作継続時間Ｔが期間Δｔ２に入っているときに、操作部２２のスタートキーが操作されて、個別リセットモードが設定された場合（Ｓ１１２「スタート」）、制御部３１は、そのスタートキーの操作に応じて設定データテーブルＴＤにおける各設定項目の値に基づきコピー機能のジョブを実行する（Ｓ１１８）。そして、制御部３１は、設定データテーブルＴＤにおける各設定項目の値を履歴データテーブルＨＤに書き込んで保存する（Ｓ１１９）。
【００５５】
また、制御部３１は、リセットキーＲＥが操作されていなくても、スタートキーの操作から一定の時間だけ個別リセットモードを保持し、操作部２２のスタートキーが再度操作されると（Ｓ１２０「スタート」）、設定データテーブルＴＤにおける各設定項目の値に基づきコピー機能のジョブを再度実行して（Ｓ１１８）、設定データテーブルＴＤにおける各設定項目の値を図３に示す履歴データテーブルＨＤに再度書き込んで保存し（Ｓ１１９）、更にスタートキーの操作から一定の時間だけ個別リセットモードを延長して保持する。
【００５６】
また、制御部３１は、個別リセットモードを保持している間に、タッチパネル２３を通じて、表示部２１の設定画面におけるいずれかの設定項目に対するスワイプ操作を検出すると（Ｓ１２０「スワイプ」）、設定データテーブルＴＤにおける該設定項目の値を履歴データテーブルＨＤにおけるその設定項目の最初に保存された値に戻して、履歴データテーブルＨＤにおけるその設定項目の値を消去し（Ｓ１２１）、更にスワイプ操作から一定の時間だけ個別リセットモードを延長して保持する。
【００５７】
また、制御部３１は、個別リセットモードを保持している間に、タッチパネル２３を通じて、表示部２１の設定画面における設定項目の値を更新するための操作（スワイプ操作とは異なる操作）を検出すると（Ｓ１２２「Ｙｅｓ」）、設定データテーブルＴＤにおける該設定項目の値を更新し（Ｓ１２３）、更に該操作から一定の時間だけ個別リセットモードを延長して保持する。
【００５８】
また、操作部２２のスタートキーの操作又はスワイプ操作から一定の時間が経過すると（Ｓ１２４「Ｙｅｓ」）、制御部３１は、個別リセットモードを終了して、図４Ａ、図４Ｂの処理を終了する。
【００５９】
このようなＳ１１８〜Ｓ１２４は、個別リセットモードが保持されている限り、繰り返される。
【００６０】
このため、ユーザーは、スタートキーを操作して、設定データテーブルＴＤにおける各設定項目の値に基づきコピー機能のジョブを実行させて、図１０Ａに示すように設定データテーブルＴＤにおける各設定項目の値を履歴データテーブルＨＤに書き込んで保存することができる。また、ユーザーは、表示部２１の設定画面における設定項目の値を更新するための操作を行って、図１０Ｂに示すように設定データテーブルＴＤにおける該設定項目の値を更新し、この後にスタートキーを操作して、設定データテーブルＴＤにおける各設定項目の値に基づきコピー機能のジョブを実行させて、図１０Ｃに示すように設定データテーブルＴＤにおける各設定項目の値を履歴データテーブルＨＤに再度書き込んで保存することができる。更に、ユーザーは、表示部２１の設定画面におけるいずれかの設定項目に対するスワイプ操作を行って、図１０Ｄに示すように設定データテーブルＴＤにおける該設定項目の値を履歴データテーブルＨＤにおけるその設定項目の最初に保存された値に戻すことができる。すなわち、ユーザーは、設定データテーブルＴＤにおける設定項目の値を更新したり元に戻したりしながら、コピー機能のジョブを繰り返し実行して、設定データテーブルＴＤにおける設定項目の値を最適に設定することができる。
【００６１】
＜画面リセットモード＞
制御部３１は、リセットキーＲＥの操作継続時間Ｔが期間Δｔ２に入っているときに、タッチパネル２３を通じて、表示部２１の設定画面における空きスペース（例えば、図６に示す設定画面Ｇ２における各設定項目Ｃ１〜Ｃ８以外の領域である）に対するスワイプ操作を検出すると（Ｓ１０８「Δｔ２、画面」）、画面リセットモードを設定して（Ｓ１２５）、設定データテーブルＴＤから表示部２１の設定画面に表示されている各設定項目の値を選択し、この選択した各設定項目の値を初期値データテーブルＳＤにおけるそれらの設定項目の値に変更して、設定データテーブルＴＤにおける該各設定項目の値を初期化する（Ｓ１２６）。これにより、例えば図６に示す設定画面Ｇ２における各設定項目Ｃ１〜Ｃ８の値が初期化される。
【００６２】
従って、ユーザーは、リセットキーＲＥの操作継続時間Ｔが期間Δｔ２に入っているときに表示部２１の設定画面における空きスペースに対してスワイプ操作を行うことにより、表示部２１の設定画面に表示されている各設定項目の値を選択して、設定データテーブルＴＤにおける該各設定項目の値を初期化することができる。
【００６３】
＜除外個別リセットモード＞
制御部３１は、リセットキーＲＥの操作継続時間Ｔが期間Δｔ３に入ってから、タッチパネル２３を通じて、表示部２１の設定画面におけるいずれかの設定項目に対するスワイプ操作を検出すると（Ｓ１０８「Δｔ３、設定項目」）、除外個別リセットモードを設定する（Ｓ１２７）。
【００６４】
そして、制御部３１は、その設定画面におけるスワイプ操作された設定項目を除く他の各設定項目を選択し、設定データテーブルＴＤにおける該他の各設定項目の値を初期値データテーブルＳＤにおけるそれらの設定項目の値に変更して、設定データテーブルＴＤにおける該他の各設定項目の値を初期化する（Ｓ１２８）。
【００６５】
従って、ユーザーは、リセットキーＲＥの操作継続時間Ｔが期間Δｔ３に入っているときに設定画面における任意の設定項目に対してスワイプ操作を行うことにより、当該任意の設定項目とは異なる、該設定画面における他の各設定項目の値を選択して、設定データテーブルＴＤにおける該他の各設定項目の値を初期化することができる。
【００６６】
＜除外画面リセットモード＞
制御部３１は、リセットキーＲＥの操作継続時間Ｔが期間Δｔ３に入ってから、タッチパネル２３を通じて、表示部２１の設定画面における空きスペースに対するスワイプ操作を検出すると（Ｓ１０８「Δｔ３、画面」）、除外画面リセットモードを設定する（Ｓ１２９）。
【００６７】
そして、制御部３１は、表示部２１の設定画面に表示されている各設定項目を除いて、該設定画面と関連する他の設定画面に表示される別の各設定項目の値を選択し、設定データテーブルＴＤにおける該別の各設定項目の値を初期値データテーブルＳＤにおけるそれらの設定項目の値に変更して、設定データテーブルＴＤにおける該別の各設定項目の値を初期化する（Ｓ１３０）。例えば、コピー機能に係る複数の設定画面が階層構造の関係を有しており、該各設定画面のいずれかが表示部２１に切替え表示されている状態で、その設定画面の空きスペースに対してスワイプ操作が行われた場合は、この設定画面の各設定項目が除かれて、コピー機能に係る他の設定画面における別の各設定項目の値が選択されて初期化される。
【００６８】
従って、ユーザーは、リセットキーＲＥの操作継続時間Ｔが期間Δｔ３に入っているときに設定画面における空きスペースに対してスワイプ操作を行うことにより該設定画面に関係する他の設定画面に表示される別の各設定項目の値を選択して、設定データテーブルＴＤにおける該別の各設定項目の値を初期化することができる。
【００６９】
このように本実施形態では、ユーザーは、リセットキーＲＥの操作、スワイプ操作、スタートキーの操作を適宜組み合わせて行うことにより、「総リセットモード」、「個別リセットモード」、「画面リセットモード」、「除外個別リセットモード」、及び「除外画面リセットモード」のいずれかを選択的に設定して、その選択設定したモードでリセットを行うことができる。
【００７０】
すなわち、本実施形態によれば、画像形成装置１０の動作に係る複数の設定項目の値を適宜選択して初期化することができる。
【００７１】
なお、上記実施形態では、本発明に係る電子機器の一実施形態として画像形成装置１０を示しているが、本発明に係る電子機器はこれに限られず、他の電子機器、例えば、コンピューター、医療機器、カーナビゲーション機器等であってもよい。また、上記実施形態では、本発明の一実施形態に係る画像形成装置として複合機を用いて説明しているが、これは一例に過ぎず、コピー機、プリンター、ファクシミリ装置等の他の画像形成装置でもよい。
【００７２】
また、図１乃至図１０Ｄを用いて説明した上記実施形態の構成及び処理は、本発明の一例に過ぎず、本発明を当該構成及び処理に限定する趣旨ではない。
【国際調査報告】
2020100404.tif 000019
2020100404.tif 000020
2020100404.tif 000021
2020100404.tif 000022